(57)【要約】【課題】足乗せ部とハンドルバーが容易に着脱ができ携帯可能か軽量の自転車用チャイルドシートを提供する。【解決手段】足乗せ部（１）は合成ゴムのバンド（４）によって自転車フレームに締結され、蝶番構造を有するため２つに折り畳みが可能である。ハンドルバー（２）は自転車ハンドル部に取付けられ着脱可能である。チャイルドシート専用サドル（３）は瓢箪形で縦長な形態を有し、子供の下腹部を横方向に締めるバンド方式の安全ベルト（６）が取付けられている。【選択図】図１
2007204020.tif 000002
【特許請求の範囲】
【請求項１】
着脱携帯可能な足乗せ部（１）とハンドルバー（２）と専用サドル（３）を備えたことを特徴とする自転車用チャイルドシート。
【発明の詳細な説明】
【発明の詳細な説明】
【技術分野】
【０００１】  本発明は、容易に着脱かつ携帯可能な足乗せ部とハンドルバー及び固定式の専用サドルで構成される自転車用チャイルドシートに関する。
【背景技術】
【０００２】  従来の自転車用チャイルドシートは、自転車の後部荷台に固定しチャイルドシートと荷籠の機能を兼備する構造のもの（例えば、特開平９−９５２６９号公報など参照）、又は自転車のハンドル部に懸吊し、ハンドルポストに結合させるチャイルドシート（例えば、実全昭６０−１５８９８１号公報など参照）、又はハンドルバーの立上部により左右から挟むようなかたちでハンドルステム部の頂部に取付けられ荷籠を兼備するチャイルドシート（例えば、実公平６−５０３０９号公報など参照）がある。
【発明が解決しようとする課題】
【０００３】  従来の自転車用チャイルドシートは自転車本体に強固にねじ止めされて車体と一体化しているか、取外しができても、かなりの重量と大きさがあるので自転車を折り畳んで携行する場合チャイルドシートの携帯及び取付けは困難であるという問題があった。
【０００４】  さらに従来の自転車用チャイルドシートは重いため自転車総重量を増加させ自転車の加速性能を悪化したり、横幅が大きいため駐輪場で場所を取ってしまうという問題点があった。
【０００５】  本発明は、上記問題点を解決することを課題とする。具体的には足乗せ部とハンドルバーが容易に着脱ができ携帯可能な軽量のチャイルドシートを提供することを課題とする。更に、本発明は足乗せ部とハンドルバーが容易に着脱ができ携帯可能かつ足乗せ部が２つに折り畳めるので駐輪時に幅を取らない軽量のチャイルドシートを提供することを課題とする。
【課題を解決するための手段】
【０００６】  上記の問題点を解決するために、本発明は着脱携帯可能な足乗せ部とハンドルバーを設けることとしている。
【０００７】  足乗せ部は自転車フレームのトップチュープに噛んで挟む状態で取付けられ、合成ゴムのバンドあるいは簡単なネジによって車体にしっかりと締結される。さらに車体に装着する部分は合成ゴムあるいはウレタンシートを介することにより車体が傷つくのを防ぐと共に、滑って取付け位置がずれることを予防する。また、足乗せ部は蝶番構造を有し、２つに折り畳むことによって自転車駐輪時に横幅を取ってじゃまになってしまうことを防ぎ、取外した時もバッグなどに収納して持ち運びし易くなる。さらに足乗せ部は２ヶ所のネジを調節することによって高さと角度が変えられるため、個々の子供に対し、あるいは個々の自転車に対して足乗せ部の適正位置の設定が可能である。
【０００８】ハンドルバーは同乗する子供が把持するためのもので自転車本体のハンドル部に噛んで挟み簡単なネジによって固定される。ネジを緩めることによって着脱可能で取外して持ち運ぶこともできる。
【０００９】  チャイルドシート専用サドルは瓢箪形で縦長な独特の形態を有し、これは前方に子供が、後方に大人が着座するようになっている。また、子供が着座する部分には子供の下腹部を横方向に締めるバンド方式の安全ベルトが取付けられている。このチャイルドシートは大人用のサドルと一体化することによって軽量かつ簡便化が実現されている。
【発明の実施と形態】
以下、本発明の実施の形態について説明する。
【００１０】  図１は、本発明の自転車用チャイルドシートを取付けた自転車を示す斜視図である。図１に示されるように、本発明の自転車用チャイルドシートは、足乗せ部（１）、ハンドルバー（２）、及び専用サドル（３）から構成される。
【００１１】  足乗せ部（１）は、自転車のフレームのトップチューブに噛んで挟む状態で足乗せ部固定用の合成ゴムのバンド（４）によって取付けられる。これにより足乗せ部は自転車本体に簡単に着脱可能となる。
【００１２】  ハンドルバー（２）は大人といっしょに同乗する子供が使用するもので、自転車本体のハンドル部に噛ませて挟み簡単なハンドルバー固定用のネジ（５）によって装着される。このハンドルバーも足乗せ部同様、ネジ（５）を緩めることで簡単に着脱可能になり取外して持ち運ぶことができる。
【００１３】  専用サドル（３）は前方に子供が、後方に大人が着座するため瓢箪形で縦長な独特の形態を有している。子供が着座するシートの部分には子供の下腹部を横方向に締めるバンド方式の安全ベルト（６）が装備されている。
【００１４】  図２は、本発明の自転車用チャイルドシートの足乗せ部の前方面観の断面図である。足乗せ部は大きく２つの部品からなる。１つは足を乗せるステップ部で、もう１つは自転車に取付ける本体部である。
【００１５】  ステップ部は蝶番構造で蝶番軸（７）を有し、２つに折り畳むことができる。この機能により、自転車駐輪時に横幅を取ってしまって止めづらくなることが無くなり、取外した場合もバッグなどに収納して持ち運びし易くなる。またステップ部の縦軸板を本体部に挟み込み、足乗せ部のステップ部と本体部を連結固定するネジ（８）により足乗せ部は一体化される。
【００１６】  本体部は自転車フレームのトップチューブに噛んで挟む状態で取付けられ、合成ゴムのバンド（４）を自転車フレームのトップチューブに巻き付けることで固定される。足乗せ部本体の左右には合成ゴムのバンド（４）を引っ掛け、固定するための止具（９）が装備されている。また、足乗せ部の本体部が自転車フレームに密着する部分にはウレタンシート（１０）が介在する。このことにより、自転車フレームが傷付くことなく、足乗せ部がずれることなく固定される。
【００１７】  図３は、本発明の自転車用チャイルドシートの足乗せ部の側方面観の透視図である。足乗せ部のステップ部は足乗せ部の本体部と前後２つのネジ（８）によって連結固定される。また、ステップ部の位置を決める高さと角度は、これらのネジ（８）によって任意に調節が可能である。本体部は合成ゴムのバンド（４）を自転車フレームのトップチューブに巻き付け、止具（９）に引っ掛けて固定する。止具（９）はネジの場合もあり得るが、簡単に合成ゴムのバンド（４）を取外し出来るものではなくてはならない。
【００１８】  図４は、本発明の自転車用チャイルドシートを取付けた自転車の側方面観図である。同乗する子供の体位を点線で示している。この発明のチャイルドシートの使用は、自分で補助輪なしで自転車に乗れると思われる年齢である５歳ぐらいから９歳ぐらいまでの子供を対象と考えている。
【発明の効果】
【００１９】  本発明は、以上説明したような形態で実施され、以下に記載されるような効果を奏する。
（イ）簡単に取外し、取付けができて携帯して持ち運びが可能である。
（ロ）シンプルな構造のため軽量である。
（ハ）足乗せ部が折り畳めるので、駐輪時に幅を取らず、邪魔にならない。
【図面の簡単な説明】
【００２０】
【図１】本発明の斜視図
【図２】足乗せ部の前方面観の断面図
【図３】足乗せ部の側方面観の透視図
【図４】本発明の側方面観図
【符号の説明】
【００２１】  １  足乗せ部
２  ハンドルバー
３  専用サドル
４  足乗せ部固定用の合成ゴムのバンド
５  ハンドルバー固定用のネジ
６  安全ベルト
７  蝶番軸
８  足乗せ部のステップ部と本体部を連結固定するネジ
９  止具
１０  ウレタンシート
【図１】
2007204020.tif 000003
【図２】
2007204020.tif 000004
【図３】
2007204020.tif 000005
【図４】
2007204020.tif 000006